(57)【要約】【課題】取付部とカバー部材との固定が解除されるのを抑制しながら、カバー部材を取付部から容易に取り外すことが可能な受変電設備用筐体を提供する。【解決手段】この受変電設備用筐体１００は、枠体１１に保護カバー２０が配置された状態において、固定ネジ４０が、保護カバー２０側から、貫通孔２０ａおよび貫通孔１１ａを介すとともにゴムナット３０を挿通した状態で、枠体１１側に設けられる締結ナット３３に締結されることにより、ネジ頭部４１側において、ゴムナット３０が貫通孔２０ａの直径Ｌ２よりも大きく撓ませられている。【選択図】図７
2020108305.tif 000002
【特許請求の範囲】
【請求項１】
配電盤または分電盤を含む受変電設備用筐体であって、
前記受変電設備用筐体の内部に配置され、第１貫通孔が形成された取付部と、
第２貫通孔が形成されるとともに、前記取付部に取り付けられるカバー部材と、
前記第２貫通孔の直径よりも小さい直径であるネジ頭部と、胴部とが設けられるネジ部材と、
前記ネジ部材の前記胴部が挿通される可撓性を有する可撓性部材と、
を備え、
前記可撓性部材は、前記第１貫通孔と前記第２貫通孔とのうちの少なくとも前記第２貫通孔に挿通され、
前記取付部に前記カバー部材が配置された状態において、前記ネジ部材が、前記カバー部材側から、前記第２貫通孔および前記第１貫通孔を介すとともに前記可撓性部材を挿通した状態で、前記取付部側に設けられる雌ネジ部に締結されることにより、前記ネジ頭部側において、前記可撓性部材が前記第２貫通孔の直径よりも大きく撓ませられている、受変電設備用筐体。
【請求項２】
前記ネジ部材の前記雌ネジ部に対する係合状態が維持された状態で、前記ネジ部材の前記雌ネジ部への締結が緩められることにより、前記ネジ頭部側において、前記可撓性部材が前記第２貫通孔の直径よりも小さくなるように撓みが緩和されて、前記取付部に対して前記カバー部材が取り外し可能に構成されている、請求項１に記載の受変電設備用筐体。
【請求項３】
前記取付部の前記第１貫通孔と、前記カバー部材の前記第２貫通孔とは、それぞれ、複数設けられており、
前記第２貫通孔の直径は、前記第１貫通孔の直径よりも大きい、請求項１または２に記載の受変電設備用筐体。
【請求項４】
前記可撓性部材は、
前記第１貫通孔および前記第２貫通孔の両方に前記カバー部材側から挿通される本体部と、
前記本体部に接続されるとともに、前記取付部の前記カバー部材側とは反対側に配置され、前記本体部の直径よりも大きい直径を有するフランジ部と、
を含み、
前記雌ネジ部は、前記フランジ部に固定されたナット部材を含む、請求項１〜３のいずれか１項に記載の受変電設備用筐体。
【請求項５】
前記可撓性部材は、前記第２貫通孔に前記カバー部材側から挿通されるように構成されており、
前記雌ネジ部は、前記取付部の前記第１貫通孔に設けられている、請求項１〜３のいずれか１項に記載の受変電設備用筐体。
【請求項６】
配電盤または分電盤を含む受変電部と、
前記受変電部が収納されている筐体と、
備え、
前記筐体は、
第１貫通孔が形成された取付部と、
第２貫通孔が形成されるとともに、前記取付部に取り付けられるカバー部材と、
に前記第２貫通孔の直径よりも小さい直径であるネジ頭部と、胴部とが設けられるネジ部材と、
前記ネジ部材の前記胴部が挿通される可撓性を有する可撓性部材とを含み、
前記可撓性部材は、前記第１貫通孔と前記第２貫通孔とのうちの少なくとも前記第２貫通孔に挿通され、
前記取付部に前記カバー部材が配置された状態において、前記ネジ部材が、前記カバー部材側から、前記第２貫通孔および前記第１貫通孔を介すとともに前記可撓性部材を挿通した状態で、前記取付部側に設けられる雌ネジ部に締結されることにより、前記ネジ頭部側において、前記可撓性部材が前記第２貫通孔の直径よりも大きく撓ませられている、受変電設備。
【発明の詳細な説明】
【技術分野】
【０００１】
この発明は、受変電設備用筐体および受変電設備に関し、特に、取付部と、取付部に取り付けられるカバー部材と、ネジ部材と、ネジ部材が挿通される可撓性部材と、を備える受変電設備用筐体および受変電設備に関する。
【背景技術】
【０００２】
従来、ゴム本体に収容されたナットと、ナットに螺合される締付ボルトとを備え、板体同士を固定する弾性ゴムナットが開示されている（たとえば、特許文献１参照）。
【０００３】
上記特許文献では、ゴム本体（可撓性部材）に収容されたナットと、ナットに螺合される締付ボルト（ネジ部材）とを備え、一対の板体（第１板体および第２板体）同士を固定するための弾性ゴムナットが開示されている。この弾性ゴムナットは、一方端部にフランジ部が設けられる円筒形状のゴム本体と、ゴム本体の他方端側に収容されるナットとを含む。そして、第１板体および第２板体に形成された貫通孔同士が連通するように、第１板体と第２板体とが重ね合わされた状態で、第１板体側から連通した第１板体の貫通孔および第２板体の貫通孔に弾性ゴムナットの円筒形状のゴム本体が挿入される。これにより、第１板体の第２板体とは反対側に、弾性ゴムナットのフランジ部が配置される。そして、フランジ部側から、円筒形状のゴム本体に締付ボルトが挿入されるとともに、締付ボルトとナットとが螺合される。これにより、ゴム本体に挿入されているナットが、締付ボルトの頭部側に近づく。その結果、第２板体の第１板体とは反対側において、円筒形状のゴム本体が撓むように変形された状態で、第１板体と第２板体とが固定される。なお、フランジ部の外径は、第１板体の貫通孔および第２板体の貫通孔の直径よりも大きい。また、円筒形状のゴム本体が撓むように変形されているので、ゴムナットのように可撓性を有する部材を用いない場合とは異なり、振動に起因して、第１板体と第２板体との固定が解除されるのが抑制されている。
【先行技術文献】
【特許文献】
【０００４】
【特許文献１】実開平５−５２３２３号公報
【発明の概要】
【発明が解決しようとする課題】
【０００５】
ここで、上記特許文献１のような一対の板体（第１板体および第２板体）同士を固定するための従来の弾性ゴムナットを、配電盤または分電盤を含む受変電設備用筐体において、取付部と、筐体内部に収容される電気機器等を覆うために設けられる保護カバーとの固定に用いることが考えられる。たとえば、上記特許文献１の第１板体を保護カバーとし、第２板体を取付部とする。この場合、保護カバー側に、弾性ゴムナットのフランジ部および締付ボルトの頭部が配置される。しかしながら、締付ボルトの頭部の直径およびフランジ部の外径は、第１板体（保護カバー）の貫通孔の直径よりも大きいので、保護カバーを取付部から取り外すためには、第１板体の貫通孔および第２板体の貫通孔から弾性ゴムナット（のゴム本体）を完全に取り外す必要がある。このため、上記特許文献１に記載の従来の弾性ゴムナットを、受変電設備用筐体において取付部と保護カバーとの固定に用いる場合、振動に起因して保護カバーと取付部との固定が解除されるのが抑制されるものの、保護カバーを取付部から容易に取外すことができないという問題点がある。
【０００６】
この発明は、上記のような課題を解決するためになされたものであり、この発明の１つの目的は、取付部とカバー部材との固定が解除されるのを抑制しながら、カバー部材を取付部から容易に取り外すことが可能な受変電設備用筐体および受変電設備を提供することである。
【課題を解決するための手段】
【０００７】
上記目的を達成するために、この発明の第１の局面による受変電設備用筐体は、配電盤または分電盤を含む受変電設備用筐体であって、受変電設備用筐体の内部に配置され、第１貫通孔が形成された取付部と、第２貫通孔が形成されるとともに、取付部に取り付けられるカバー部材と、第２貫通孔の直径よりも小さい直径であるネジ頭部と、胴部とが設けられるネジ部材と、ネジ部材の胴部が挿通される可撓性を有する可撓性部材と、を備え、可撓性部材は、第１貫通孔と第２貫通孔とのうちの少なくとも第２貫通孔に挿通され、取付部にカバー部材が配置された状態において、ネジ部材が、カバー部材側から、第２貫通孔および第１貫通孔を介すとともに可撓性部材を挿通した状態で、取付部側に設けられる雌ネジ部に締結されることにより、ネジ頭部側において、可撓性部材が第２貫通孔の直径よりも大きく撓ませられている。
【０００８】
この発明の第１の局面による受変電設備用筐体では、上記のように、取付部にカバー部材が配置された状態において、ネジ部材が、カバー部材側から、第２貫通孔および第１貫通孔を介すとともに可撓性部材を挿通した状態で、取付部側に設けられる雌ネジ部に締結されることにより、ネジ頭部側において、可撓性部材が第２貫通孔の直径よりも大きく撓ませられている。これにより、ネジ頭部側において、可撓性部材が第２貫通孔の直径よりも大きく撓ませられているので、取付部とカバー部材との固定が解除されるのを抑制しながら、取付部に対してカバー部材を固定することができる。また、雌ネジ部に対するネジ部材の締結を緩めることによって、可撓性部材の撓みの程度を小さくすることができるので、第２貫通孔の直径よりも小さくなるまで可撓性部材の撓みの程度を小さくすることによって、取付部に対するカバー部材の固定を解除することができる。また、ネジ頭部の直径が第２貫通孔の直径よりも小さいので、雌ネジ部に対するネジ部材の締結を緩めた状態で、第２貫通孔をネジ頭部に挿通させるようにカバー部材を取付部とは反対側に遠ざけることによって、雌ネジ部からネジ部材を取り外さなくても、取付部に対してカバー部材を取り外すことができる。これらの結果、取付部とカバー部材との固定が解除されるのを抑制しながら、カバー部材を取付部から容易に取り外すことができる。
【０００９】
上記第１の局面による受変電設備用筐体において、好ましくは、ネジ部材の雌ネジ部に対する係合状態が維持された状態で、ネジ部材の雌ネジ部への締結が緩められることにより、ネジ頭部側において、可撓性部材が第２貫通孔の直径よりも小さくなるように撓みが緩和されて、取付部に対してカバー部材が取り外し可能に構成されている。このように構成すれば、ネジ部材の雌ネジ部に対する係合状態が維持された状態で、取付部に対してカバー部材を取り外すことができるので、雌ネジ部からネジ部材を取り外さなくても、確実に、取付部に対してカバー部材を容易に取り外すことができる。
【００１０】
上記第１の局面による受変電設備用筐体において、好ましくは、取付部の第１貫通孔と、カバー部材の第２貫通孔とは、それぞれ、複数設けられており、第２貫通孔の直径は、第１貫通孔の直径よりも大きい。このように構成すれば、第２貫通孔の直径が第１貫通孔の直径よりも大きいので、取付部に対してカバー部材を相対的に移動させることにより、平面視において、第１貫通孔と第２貫通孔とを容易に連通させることができる。その結果、加工誤差に起因して、取付部の複数の第１貫通孔に対するカバー部材の複数の第２貫通孔の位置がずれている場合でも、取付部にカバー部材が取り付けられなくなるのを抑制することができる。
【００１１】
上記第１の局面による受変電設備用筐体において、好ましくは、可撓性部材は、第１貫通孔および第２貫通孔の両方にカバー部材側から挿通される本体部と、本体部に接続されるとともに、取付部のカバー部材側とは反対側に配置され、本体部の直径よりも大きい直径を有するフランジ部と、を含み、雌ネジ部は、フランジ部に固定されたナット部材を含む。このように構成すれば、可撓性部材の本体部とフランジ部との間の段差部を、取付部の第１貫通孔の縁部に係合させることができる。そして、可撓性部材の段差部を取付部の第１貫通孔の縁部に係合させた状態で、ネジ部材をナット部材に締結（螺合）することにより、容易に、本体部を撓ませることができる。
【００１２】
上記第１の局面による受変電設備用筐体において、好ましくは、可撓性部材は、第２貫通孔にカバー部材側から挿通されるように構成されており、雌ネジ部は、取付部の第１貫通孔に設けられている。このように構成すれば、取付部の第１貫通孔に雌ネジ部が設けられているので、ネジ部材に締結されるナット部材を別途設ける場合と異なり、部品点数が増加するのを抑制することができる。
【００１３】
上記目的を達成するために、この発明の第２の局面による受変電設備は、配電盤または分電盤を含む受変電部と、受変電部が収納されている筐体と、備え、筐体は、第１貫通孔が形成された取付部と、第２貫通孔が形成されるとともに、取付部に取り付けられるカバー部材と、第２貫通孔の直径よりも小さい直径であるネジ頭部と、胴部とが設けられるネジ部材と、ネジ部材の胴部が挿通される可撓性を有する可撓性部材とを含み、可撓性部材は、第１貫通孔と第２貫通孔とのうちの少なくとも第２貫通孔に挿通され、取付部にカバー部材が配置された状態において、ネジ部材が、カバー部材側から、第２貫通孔および第１貫通孔を介すとともに可撓性部材を挿通した状態で、取付部側に設けられる雌ネジ部に締結されることにより、ネジ頭部側において、可撓性部材が第２貫通孔の直径よりも大きく撓ませられている。
【００１４】
この発明の第２の局面による受変電設備では、上記のように、取付部にカバー部材が配置された状態において、ネジ部材が、カバー部材側から、第２貫通孔および第１貫通孔を介すとともに可撓性部材を挿通した状態で、取付部側に設けられる雌ネジ部に締結されることにより、ネジ頭部側において、可撓性部材が第２貫通孔の直径よりも大きく撓ませられている。これにより、ネジ頭部側において、可撓性部材が第２貫通孔の直径よりも大きく撓ませられているので、取付部とカバー部材との固定が解除されるのを抑制しながら、取付部に対してカバー部材を固定することができる。また、雌ネジ部に対するネジ部材の締結を緩めることによって、取付部に対するカバー部材の固定を解除することができる。また、ネジ頭部の直径が第２貫通孔の直径よりも小さいので、雌ネジ部に対するネジ部材の締結を緩めた状態で、第２貫通孔をネジ頭部に挿通させるようにカバー部材を取付部とは反対側に遠ざけることによって、可撓性部材の撓みの程度を小さくすることができるので、第２貫通孔の直径よりも小さくなるまで可撓性部材の撓みの程度を小さくすることによって、取付部に対するカバー部材への固定を解除することができる。これらの結果、取付部とカバー部材との固定が解除されるのを抑制しながら、カバー部材を取付部から容易に取り外すことができる。
【発明の効果】
【００１５】
本発明によれば、上記のように、取付部とカバー部材との固定が解除されるのを抑制しながら、カバー部材を取付部から容易に取り外すことができる。
【図面の簡単な説明】
【００１６】
【図１】本発明の第１実施形態による受変電設備用筐体の前面の開閉扉が解放された状態を示した斜視図である。
【図２】本発明の第１実施形態による受変電設備用筐体の保護カバーが取り外された状態を示した斜視図である。
【図３】本発明の第１実施形態による受変電設備用筐体の枠体、保護カバー、ゴムナットおよび固定ネジを示した図である。
【図４】本発明の第１実施形態による受変電設備用筐体において、枠体の貫通孔にゴムナットが嵌め込まれた状態を示した図である。
【図５】本発明の第１実施形態による受変電設備用筐体において、枠体の貫通孔にゴムナットが嵌め込まれた状態で、ゴムナットに固定ネジが仮締め付けされた状態を示した図である。
【図６】本発明の第１実施形態による受変電設備用筐体において、ゴムナットに固定ネジが仮締め付けされた状態で、固定ネジのネジ頭側から、保護カバーが枠体に配置された状態を示した図である。
【図７】本発明の第１実施形態による受変電設備用筐体において、保護カバーが枠体に配置された状態から、ゴムナットに固定ネジが本締め付けされた状態を示した図である。
【図８】本発明の第２実施形態による受変電設備用筐体の枠体、保護カバー、スリーブおよび固定ネジを示した図である。
【図９】本発明の第２実施形態による受変電設備用筐体において、スリーブの貫通孔が枠体の貫通孔に連通するように、スリーブが枠体に配置された状態を示した図である。
【図１０】本発明の第２実施形態による受変電設備用筐体において、スリーブが枠体に配置された状態で、ゴムナットに固定ネジが仮締め付けされた状態を示した図である。
【図１１】本発明の第２実施形態による受変電設備用筐体において、ゴムナットに固定ネジが仮締め付けされた状態で、固定ネジのネジ頭側から、保護カバーが枠体に配置された状態を示した図である。
【図１２】本発明の第２実施形態による受変電設備用筐体において、保護カバーが枠体に配置された状態から、ゴムナットに固定ネジが本締め付けされた状態を示した図である。
【図１３】本発明の第２実施形態の変形例による受変電設備用筐体の枠体において、スリーブが枠体に配置された状態から、ゴムナットに固定ネジが仮締め付けされた状態を示した図である。
【発明を実施するための形態】
【００１７】
以下、本発明を具体化した実施形態を図面に基づいて説明する。
【００１８】
［第１実施形態］
図１〜図７を参照して、本発明の第１実施形態による受変電設備１００に用いられる受変電設備用筐体１００ａの構成について説明する。受変電設備１００は、たとえば、配電盤または分電盤である。すなわち、受変電設備１００は、電力変換装置のキュービクルである。なお、受変電設備用筐体１００ａは、特許請求の範囲の「筐体」の一例である。
【００１９】
図１に示すように、受変電設備用筐体１００ａの内部には、開閉器、計器等の電気機器１（図２参照）を受変電設備用筐体１００ａの前側から覆うように保護カバー２０が設けられている。また、図２に示すように、受変電設備用筐体１００ａの内部には、枠体１１が設けられている。そして、保護カバー２０は、Ｘ１方向側から枠体１１（図７参照）に取り付けられている。なお、図１では、受変電設備用筐体１００ａの前側に設けられた開閉扉１２が開放された状態（作業者が受変電設備用筐体１００ａの内部の電気機器１にアクセスするための状態）を示している。また、以下の説明では、受変電設備用筐体１００ａの前後方向をＸ方向として、受変電設備用筐体１００ａの前方向（前側）をＸ１方向とし、受変電設備用筐体１００ａの後方向（後側）をＸ２方向とする。なお、電気機器１は、特許請求の範囲の「受変電部」の一例である。また、枠体１１および保護カバー２０は、それぞれ、特許請求の範囲の「取付部」および「カバー部材」の一例である。
【００２０】
図７に示すように、保護カバー２０は、枠体１１に対して、ゴムナット３０および固定ネジ４０により、固定可能に構成されている。また、図５に示すように、保護カバー２０は、枠体１１に対して、取外し可能に構成されている。なお、受変電設備用筐体１００ａでは、保護カバー２０および枠体１１は、それぞれ、Ｘ１側およびＸ２側に配置される。なお、ゴムナット３０および固定ネジ４０は、それぞれ、特許請求の範囲の「可撓性部材」および「ネジ部材」の一例である。
【００２１】
なお、図１に示すように、受変電設備用筐体１００ａでは、１つの保護カバー２０に対して複数の位置において、保護カバー２０が枠体１１に取り付けられている。すなわち、第１実施形態では、枠体１１の貫通孔１１ａ（後述する）と、保護カバー２０の貫通孔２０ａ（後述する）とは、それぞれ、複数個ずつ設けられている。なお、貫通孔１１ａおよび貫通孔２０ａは、ぞれぞれ、特許請求の範囲の「第１貫通孔」および「第２貫通孔」の一例である。
【００２２】
図３に示すように、枠体１１および保護カバー２０には、それぞれ、貫通孔１１ａおよび貫通孔２０ａが形成されている。第１実施形態では、貫通孔２０ａの直径Ｌ２は、貫通孔１１ａの直径Ｌ１よりも大きく形成されている。なお、図３では、枠体１１と、保護カバー２０と、ゴムナット３０と、固定ネジ４０とが、完全に分離された状態を示している。
【００２３】
ゴムナット３０は、スリーブ３１と、フランジ部３２と、を有する。スリーブ３１は、内径Ｌ３および（貫通孔１１ａの直径Ｌ１よりも僅かに小さい）外径Ｌ４を有する筒状（内部が空洞３１ａ）に形成されている。これにより、スリーブ３１は、貫通孔１１ａと貫通孔２０ａとに挿通されることが可能である。フランジ部３２は、スリーブ３１と接続されるとともに、スリーブ３１の直径（外径）Ｌ４よりも大きい直径Ｌ５を有する。これにより、スリーブ３１とフランジ部３２との間には、段差部４３が形成されている。なお、直径Ｌ５は、貫通孔２０ａの直径Ｌ２よりも大きい。また、フランジ部３２の内部には、締結ナット３３が固定されている。なお、スリーブ３１は、特許請求の範囲の「本体部」の一例である。また、締結ナット３３は、特許請求の範囲の「雌ネジ部」および「ナット部材」の一例である。
【００２４】
固定ネジ４０は、直径Ｌ６を有するネジ頭部４１と、ネジ頭部４１と接続され（直径Ｌ６よりも小さい）直径Ｌ７を有する胴部４２と、を含む。ネジ頭部４１の直径Ｌ６は、貫通孔２０ａの直径Ｌ２よりも小さいとともに、ゴムナット３０のスリーブ３１の直径（外径）Ｌ４と略等しい。胴部４２の直径Ｌ７は、ゴムナット３０のスリーブ３１の内径Ｌ３よりも僅かに小さい。これにより、固定ネジ４０の胴部４２を、ゴムナット３０のスリーブ３１（の空洞３１ａ）に挿通させるとともに、ゴムナット３０のフランジ部３２に固定された締結ナット３３に締結させることが可能となる。
【００２５】
以上の構成により、第１実施形態では、固定ネジ４０が貫通孔１１ａおよび貫通孔２０ａに保護カバー２０側（Ｘ１側）から挿通されるとともに、固定ネジ４０（の胴部４２）が枠体１１側（Ｘ２側）に設けられる締結ナット３３に締結されることにより、保護カバー２０を枠体１１に取り付けることが可能になる。
【００２６】
詳細には、図７に示すように、第１実施形態では、枠体１１に保護カバー２０が配置された状態において、固定ネジ４０が、保護カバー２０側から、貫通孔２０ａおよび貫通孔１１ａを介すとともにゴムナット３０を挿通した状態で、枠体１１側に設けられる締結ナット３３に締結されることにより、ネジ頭部４１側において、ゴムナット３０が貫通孔２０ａの直径Ｌ２よりも大きく撓むように（変形されるように）構成されている。また、第１実施形態では、固定ネジ４０の締結ナット３３に対する係合状態が維持された状態で、固定ネジ４０の締結ナット３３への締結が緩められることにより、ネジ頭部４１側において、ゴムナット３０が貫通孔２０ａの直径Ｌ２よりも小さくなるように撓みが緩和されて（図６参照）、枠体１１に対して保護カバー２０が取り外し可能に構成されている。
【００２７】
次に、枠体１１に対する保護カバー２０の取り付けおよび取り外しについて説明する。
【００２８】
まず、図４に示すように、ゴムナット３０の段差部４３が枠体１１のＸ２側に当接した状態となるまで、枠体１１のＸ２側から枠体１１の貫通孔２０ａにゴムナット３０のスリーブ３１が挿入される。これにより、ゴムナット３０の段差部４３が枠体１１の貫通孔１１ａの縁部に係合した状態となる。また、ゴムナット３０のスリーブ３１が枠体１１のＸ１側に突出した状態となる。
【００２９】
そして、図５に示すように、Ｘ１側から、ゴムナット３０のスリーブ３１（の空洞３１ａ）に固定ネジ４０の胴部４２が挿入され、胴部４２が締結ナット３３に締結される。これにより、枠体１１に対して、ゴムナット３０および固定ネジ４０が固定された状態となる。
【００３０】
そして、図６に示すように、枠体１１に対してゴムナット３０および固定ネジ４０が固定された状態で、固定ネジ４０のネジ頭部４１およびゴムナット３０のスリーブ３１を、保護カバー２０の貫通孔２０ａに挿通させる。これにより、保護カバー２０が枠体１１のＸ１側の表面近傍に配置される。なお、図６では、保護カバー２０が枠体１１に接触する状態を示しているが、保護カバー２０が少なくともネジ頭部４１よりも枠体１１（Ｘ２側）に配置されていればよい。
【００３１】
そして、図７に示すように、固定ネジ４０が保護カバー２０側（Ｘ１側）から締結ナット３３に締め付けられる。そして、固定ネジ４０のネジ頭部４１と保護カバー２０との距離が小さくなる。これにより、スリーブ３１の一部（保護カバー２０の貫通孔２０ａから突出した部分）が、ネジ頭部４１側（保護カバー２０の枠体１１側（Ｘ２側）とは反対側（Ｘ１側））において、スリーブ３１の径方向の外側に撓む（弾性変形する）。そして、スリーブ３１の一部が、貫通孔２０ａの直径Ｌ２よりも大きい直径Ｌ４ａまで撓むとともに、撓んだ部分が保護カバー２０のＸ１側の表面に当接した状態となるまで、固定ネジ４０が締め付けられることによって、保護カバー２０が枠体１１に対して固定される。
【００３２】
また、図６および図７の工程を逆に行うことにより、枠体１１からゴムナット３０および固定ネジ４０を取り外すことなく、保護カバー２０を、枠体１１から取り外すことが可能である。すなわち、スリーブ３１の撓みによって、保護カバー２０が枠体１１に対して固定された状態（図７の状態）から、固定ネジ４０の締結ナット３３へ締め付けを緩和することにより、ネジ頭部４１側（保護カバー２０の枠体１１側（Ｘ２側）とは反対側（Ｘ１側））において、スリーブ３１の撓みがなくなった状態（図６の状態）に戻る。これにより、枠体１１からゴムナット３０および固定ネジ４０を取り外すことなく、枠体１１から保護カバー２０のみを容易に取り外すことが可能である。
【００３３】
（第１施形態の効果）
第１実施形態では、以下のような効果を得ることができる。
【００３４】
第１実施形態では、上記のように、受変電設備用筐体１００ａを、枠体１１に保護カバー２０が配置された状態において、固定ネジ４０が、保護カバー２０側から、貫通孔２０ａおよび貫通孔１１ａを介すとともにゴムナット３０を挿通した状態で、枠体１１側に設けられる締結ナット３３に締結されることにより、ネジ頭部４１側において、ゴムナット３０が貫通孔２０ａの直径Ｌ２よりも大きく撓ませられているように構成する。これにより、ネジ頭部４１側において、ゴムナット３０が貫通孔２０ａの直径Ｌ２よりも大きく撓ませられているので、枠体１１と保護カバー２０との固定が解除されるのを抑制しながら、枠体１１に対して保護カバー２０を固定することができる。また、締結ナット３３に対する固定ネジ４０の締結を緩めることによって、ゴムナット３０の撓みの程度を小さくすることができるので、貫通孔２０ａの直径Ｌ２よりも小さくなるまでゴムナット３０の撓みの程度を小さくすることによって、枠体１１に対する保護カバー２０の固定を解除することができる。また、ネジ頭部４１の直径Ｌ６が貫通孔２０ａの直径Ｌ２よりも小さいので、締結ナット３３に対する固定ネジ４０の締結を緩めた状態で、貫通孔２０ａをネジ頭部４１に挿通させるように保護カバー２０を枠体１１とは反対側に遠ざけることによって、締結ナット３３から固定ネジ４０を取り外さなくても、枠体１１に対して保護カバー２０を取り外すことができる。これらの結果、枠体１１と保護カバー２０との固定が解除されるのを抑制しながら、保護カバー２０を枠体１１から容易に取り外すことができる。
【００３５】
また、第１実施形態では、上記のように、受変電設備用筐体１００ａを、固定ネジ４０の締結ナット３３に対する係合状態が維持された状態で、固定ネジ４０の締結ナット３３への締結が緩められることにより、ネジ頭部４１側において、ゴムナット３０が貫通孔２０ａの直径Ｌ２よりも小さくなるように撓みが緩和されて、枠体１１に対して保護カバー２０が取り外し可能に構成する。これにより、固定ネジ４０の締結ナット３３に対する係合状態が維持された状態で、枠体１１に対して保護カバー２０を取り外すことができるので、締結ナット３３から固定ネジ４０を取り外さなくても、確実に、枠体１１に対して保護カバー２０を容易に取り外すことができる。
【００３６】
また、第１実施形態では、上記のように、枠体１１の貫通孔１１ａと、保護カバー２０の貫通孔２０ａとは、それぞれ、複数設けられている。そして、貫通孔２０ａの直径Ｌ２を、貫通孔１１ａの直径Ｌ１よりも大きく構成する。これにより、貫通孔２０ａの直径Ｌ２が貫通孔１１ａの直径Ｌ１よりも大きいので、枠体１１に対して保護カバー２０を相対的に移動させることにより、平面視において、貫通孔１１ａと貫通孔２０ａとを容易に連通させることができる。その結果、加工誤差に起因して、枠体１１の複数の貫通孔１１ａに対する保護カバー２０の複数の貫通孔２０ａの位置がずれている場合でも、枠体１１に保護カバー２０が取り付けられなくなるのを抑制することができる。
【００３７】
また、第１実施形態では、上記のように、ゴムナット３０は、貫通孔１１ａおよび貫通孔２０ａの両方に保護カバー２０側から挿通されるスリーブ３１と、スリーブ３１に接続されるとともに、枠体１１の保護カバー２０側とは反対側に配置され、スリーブ３１の直径Ｌ４よりも大きい直径Ｌ５を有するフランジ部３２と、を含む。そして、締結ナット３３は、フランジ部３２に固定された締結ナット３３を含む。これにより、ゴムナット３０のスリーブ３１とフランジ部３２との間の段差部４３を、枠体１１の貫通孔１１ａの縁部に係合させることができる。そして、ゴムナット３０の段差部４３を枠体１１の貫通孔１１ａの縁部に係合させた状態で、固定ネジ４０を締結ナット３３に締結（螺合）することにより、容易に、スリーブ３１を撓ませることができる。
【００３８】
［第２実施形態］
図８〜図１２を参照して、第２実施形態について説明する。この第２実施形態では、固定ネジ４０が締結される部分（締結ナット３３）がゴムナット３０に設けられていた第１実施形態と異なり、固定ネジ４０が締結される部分（雌ネジ部２１１ｂ）が枠体２１１に設けられている。なお、図中において、上記第１実施形態と同様の構成の部分には、同一の符号を付している。
【００３９】
図８に示すように、本発明の第２実施形態による受変電設備２００に用いられる受変電設備用筐体２００ａ（図１参照）の内部には、枠体２１１が設けられている。図１２に示すように、保護カバー２０は、枠体２１１に対して、スリーブ２３０、枠体２１１および固定ネジ４０により、固定可能に構成されている。なお、枠体２１１は、特許請求の範囲の「取付部」の一例である。また、スリーブ２３０は、特許請求の範囲の「可撓性部材」の一例である。
【００４０】
図８に示すように、枠体２１１には、貫通孔２１１ａが形成されている。第２実施形態では、枠体２１１に形成された貫通孔２１１ａの直径Ｌ２１は、貫通孔２０ａの直径Ｌ２よりも小さく形成されている。また、枠体２１１の貫通孔２１１ａの内周面には、雌ネジ部２１１ｂが形成されている。これにより、固定ネジ４０は、胴部４２を、枠体２１１の貫通孔２１１ａ（雌ネジ部２１１ｂ）と締結することが可能である。なお、貫通孔２１１ａは、特許請求の範囲の「第１貫通孔」の一例である。
【００４１】
スリーブ２３０は、受変電設備１００のスリーブ３１と略同様の構成である。すなわち、スリーブ２３０は、内径Ｌ３および（貫通孔１１ａの直径Ｌ２よりも僅かに小さい）外径Ｌ２４を有する筒状（内部が空洞２３０ａ）に形成されている。なお、スリーブ２３０の内径Ｌ３は、枠体２１１の貫通孔２１１ａよりも僅かに大きい。また、スリーブ２３０の外径Ｌ２４は、枠体２１１の貫通孔２１１ａよりも小さい。これにより、上記第１実施形態の受変電設備１００のスリーブ３１と異なり、スリーブ２３０は、貫通孔２１１ａには挿通されずに、貫通孔２０ａにのみ挿通される。
【００４２】
以上の構成により、第２実施形態では、固定ネジ４０が貫通孔２１１ａに保護カバー２０側（Ｘ１側）から挿通されるとともに、固定ネジ４０（の胴部４２）が枠体２１１に形成された貫通孔２１１ａに締結されることにより、保護カバー２０を枠体２１１に取り付けることが可能になる。
【００４３】
詳細には、図１２に示すように、第２実施形態では、枠体２１１に保護カバー２０が配置された状態において、固定ネジ４０が、保護カバー２０側から、貫通孔２１１ａおよび貫通孔２１１ａを介すとともにスリーブ２３０を挿通した状態で、枠体２１１側に設けられる雌ネジ部２１１ｂに締結されることにより、ネジ頭部４１側において、スリーブ２３０が貫通孔２０ａの直径Ｌ２よりも大きく撓むように（変形されるように）構成されている。また、第２実施形態では、固定ネジ４０の雌ネジ部２１１ｂに対する係合状態が維持された状態で、固定ネジ４０の雌ネジ部２１１ｂへの締結が緩められることにより、ネジ頭部４１側において、スリーブ２３０が貫通孔２０ａの直径Ｌ２よりも小さくなるように撓みが緩和されて（図１１参照）、枠体２１１に対して保護カバー２０が取り外し可能に構成されている。
【００４４】
次に、枠体２１１に対する保護カバー２０の取り付けおよび取り外しについて説明する。
【００４５】
まず、図９に示すように、スリーブ２３０の内部の空洞２３０ａと枠体２１１の貫通孔２１１ａとが連通するように、枠体２１１のＸ１側にスリーブ２３０が配置される。そして、図１０に示すように、スリーブ２３０（の内部の空洞２３０ａ）に固定ネジ４０の胴部４２が挿入され、胴部４２が枠体２１１の貫通孔２１１ａに形成された雌ネジ部２１１ｂに締結される。これにより、枠体２１１に対して、スリーブ２３０および固定ネジ４０が固定された状態となる。
【００４６】
そして、図１１に示すように、枠体２１１に対してスリーブ２３０および固定ネジ４０が固定された状態で、固定ネジ４０のネジ頭部４１およびスリーブ２３０を保護カバー２０に挿通させる。これにより、保護カバー２０が枠体２１１の保護カバー２０側（Ｘ１側）の近傍に配置された状態となる。なお、図１１では、保護カバー２０が枠体２１１に接触した状態を示しているが、保護カバー２０が少なくともネジ頭部４１よりも枠体２１１（Ｘ２側）に配置されていればよい。
【００４７】
そして、図１２に示すように、固定ネジ４０が保護カバー２０側（Ｘ１側）から枠体２１１の貫通孔２１１ａに締め付けられる。そして、固定ネジ４０のネジ頭部４１と保護カバー２０との距離が小さくなる。これにより、スリーブ２３０の一部が、ネジ頭部４１側（保護カバー２０の枠体２１１側（Ｘ２側）とは反対側（Ｘ１側））において、スリーブ２３０の径方向の外側に撓む（弾性変形する）。そして、スリーブ２３０の一部が、貫通孔２０ａの直径Ｌ２よりも大きい直径Ｌ２４ａまで撓むとともに、撓んだ部分が保護カバー２０のＸ１側の表面に当接した状態となるまで、固定ネジ４０が締め付けられることによって、保護カバー２０が枠体２１１に対して固定される。
【００４８】
また、図１１および図１２の工程を逆に行うことにより、枠体２１１からスリーブ２３０および固定ネジ４０を取り外すことなく、保護カバー２０を、枠体２１１から取り外すことが可能である。すなわち、スリーブ２３０の撓みによって、保護カバー２０が枠体２１１に対して固定された状態（図１２の状態）から、固定ネジ４０の締結ナット３３へ締め付けを緩和することにより、ネジ頭部４１側（保護カバー２０の枠体２１１側（Ｘ２側）とは反対側（Ｘ１側））において、スリーブ２３０の撓みがなくなった状態（図１１の状態）に戻る。これにより、枠体２１１からスリーブ２３０および固定ネジ４０を取り外すことなく、枠体２１１から保護カバー２０のみを容易に取り外すことが可能である。
【００４９】
なお、第２実施形態による受変電設備２００のその他の構成は、上記第１実施形態と同様である。
【００５０】
（第２実施形態の効果）
第２実施形態では、以下のような効果を得ることができる。
【００５１】
第２実施形態では、上記のように、受変電設備用筐体２００ａを、枠体２１１に保護カバー２０が配置された状態において、固定ネジ４０が、保護カバー２０側から、貫通孔２０ａを介すとともにスリーブ２３０を挿通した状態で、枠体２１１側に設けられる雌ネジ部２１１ｂに締結されることにより、ネジ頭部４１側において、スリーブ２３０が貫通孔２０ａの直径Ｌ２よりも大きく撓ませられているように構成する。これにより、ネジ頭部４１側において、スリーブ２３０が貫通孔２０ａの直径Ｌ２よりも大きく撓ませられているので、枠体２１１と保護カバー２０との固定が解除されるのを抑制しながら、枠体２１１に対して保護カバー２０を固定することができる。また、雌ネジ部２１１ｂに対する固定ネジ４０の締結を緩めることによって、スリーブ２３０の撓みの程度を小さくすることができるので、貫通孔２０ａの直径Ｌ２よりも小さくなるまでスリーブ２３０の撓みの程度を小さくすることによって、枠体２１１に対する保護カバー２０の固定を解除することができる。また、ネジ頭部４１の直径Ｌ６が貫通孔２０ａの直径Ｌ２よりも小さいので、雌ネジ部２１１ｂに対する固定ネジ４０の締結を緩めた状態で、貫通孔２０ａをネジ頭部４１に挿通させるように保護カバー２０を枠体２１１とは反対側に遠ざけることによって、貫通孔２１１ａから固定ネジ４０を取り外すことができる。これらの結果、第１実施形態と同様に、枠体２１１と保護カバー２０との固定が解除されるのを抑制しながら、保護カバー２０を枠体２１１から容易に取り外すことができる。
【００５２】
また、第２実施形態では、上記のように、スリーブ２３０を、貫通孔２０ａに保護カバー２０側から挿通されるように構成する。そして、雌ネジ部２１１ｂを、枠体２１１の貫通孔２１１ａに設ける。これにより、枠体２１１の貫通孔２１１ａに雌ネジ部２１１ｂが設けられているので、固定ネジ４０に締結されるナット部材を別途設ける場合と異なり、部品点数が増加するのを抑制することができる。
【００５３】
なお、第２実施形態のその他の効果は、上記第１実施形態と同様である。
【００５４】
［変形例］
今回開示された実施形態は、全ての点で例示であり制限的なものではないと考えられるべきである。本発明の範囲は上記実施形態の説明ではなく特許請求の範囲によって示され、さらに特許請求の範囲と均等の意味および範囲内での全ての変更（変形例）が含まれる。
【００５５】
たとえば、上記第１実施形態では、フランジ部３２の直径Ｌ５を、保護カバーの貫通孔２０ａの直径Ｌ２よりも大きくなるように構成した例を示したが、本発明はこれに限られない。本発明では、フランジ部３２の直径Ｌ５を、保護カバーの貫通孔２０ａの直径Ｌ２よりも小さくなるように構成してもよい。ただし、フランジ部３２の直径Ｌ５は、少なくとも貫通孔１１ａの直径Ｌ１よりも大きくする必要がある。
【００５６】
また、上記第１および第２実施形態では、固定ネジ４０のネジ頭部４１の直径Ｌ６を、貫通孔２０ａの直径Ｌ２よりも小さいとともに、ゴムナット３０のスリーブ３１（スリーブ２３０）の直径（外径）Ｌ４と略等しくなるように構成した例を示したが、本発明はこれに限られない。本発明では、固定ネジ４０のネジ頭部４１の直径Ｌ６を、ゴムナット３０のスリーブ３１（スリーブ２３０）の直径（外径）Ｌ４と略等しくなるするように構成してもよい。ただし、固定ネジ４０のネジ頭部４１の直径Ｌ６は、少なくとも貫通孔２０ａの直径Ｌ２よりも小さくする必要がある。
【００５７】
また、上記第２実施形態の枠体２１１に代えて、図１３に示す受変電設備３００のように、貫通孔３１１ａが形成される部分３１１ｂの厚みが、貫通孔３１１ａが形成されていない部分の厚みよりも大きい枠体３１１を備えるように構成してもよい。これにより、枠体３１１の厚みが小さい場合でも、固定ネジ４０を締結する「雌ネジ部」を容易に形成することができる。なお、貫通孔３１１ａは、特許請求の範囲の「第１貫通孔」の一例である。また、枠体３１１は、特許請求の範囲の「取付部」の一例である。
【００５８】
また、上記第１および第２実施形態では、特許請求の範囲の「第１貫通孔」と特許請求の範囲の「第２貫通孔」とがそれぞれ複数設けられる例を示したが、本発明はこれに限られない。本発明では、第１貫通孔と第２貫通孔とがそれぞれ１つずつ設けられていてもよい。
【符号の説明】
【００５９】
１  受変電部
１１ａ、２１１ａ、３１１ａ  貫通孔（第１貫通孔）
１１、２１１、３１１  枠体（取付部）
２０ａ  貫通孔（第２貫通孔）
２０  保護カバー（カバー部材）
３０  ゴムナット（可撓性部材）
３１  スリーブ（本体部）
３２  フランジ部
３３  締結ナット（雌ネジ部、ナット部材）
４０  固定ネジ（ネジ部材）
４１  ネジ頭部
４２  （ネジ部材の）胴部
１００、２００、３００  受変電設備
１００ａ、２００ａ、３００ａ  筐体、受変電設備用筐体
２１１ａ  貫通孔（第１貫通孔、雌ネジ部）
２３０  スリーブ（可撓性部材）
Ｌ１  （第１貫通孔の）直径
Ｌ２  （第２貫通孔の）直径
Ｌ４、Ｌ４ａ  （本体部の）直径
Ｌ５  （フランジ部の）直径
Ｌ６  （ネジ頭部の）直径
【図１】
2020108305.tif 000003
【図２】
2020108305.tif 000004
【図３】
2020108305.tif 000005
【図４】
2020108305.tif 000006
【図５】
2020108305.tif 000007
【図６】
2020108305.tif 000008
【図７】
2020108305.tif 000009
【図８】
2020108305.tif 000010
【図９】
2020108305.tif 000011
【図１０】
2020108305.tif 000012
【図１１】
2020108305.tif 000013
【図１２】
2020108305.tif 000014
【図１３】
2020108305.tif 000015